(57)【要約】      （修正有）【課題】深みのある輝きを備えた内装用壁材を提供する。【解決手段】木製の板素材２の表面に塗膜３を備えた内装用壁材１１であって、板素材２は、表面に複数の凹部２１が形成されたものであり、塗膜は、漆を塗装した漆塗膜３である。また、漆塗膜３は、顔料を含有せず、染料を含有したものであってもよいし、凹部２１は、深さＤが０．３ｍｍ〜３．０ｍｍのものであり、漆塗膜３は、凹部２１の底２１ｂの膜厚Ｔ１が、凹部２１の縁２１ａの膜厚Ｔ２の１．５倍以上５．０倍以下である。【選択図】図２
0003224888.tif 000002
【実用新案登録請求の範囲】
【請求項１】
木製の板素材の表面に塗膜を備えた内装用壁材であって、
前記板素材は、表面に複数の凹部が形成されたものであり、
前記塗膜は、漆を塗装した漆塗膜であることを特徴とする内装用壁材。
【請求項２】
前記漆塗膜は、顔料を含有せず、染料を含有したものであることを特徴とする請求項１記載の内装用壁材。
【請求項３】
前記凹部は、深さが０．３ｍｍ〜３．０ｍｍのものであり、
前記漆塗膜は、前記凹部の底の膜厚が、該凹部の縁の膜厚の１．５倍以上５．０倍以下のものであることを特徴とする請求項１又は２記載の内装用壁材。
【請求項４】
前記板素材は、ホワイトアッシュ、タモ、ナラ、クリ、ケヤキのうちのいずれかからなり、
前記漆塗膜は、前記板素材の導管内にも形成され、該導管の底の膜厚が、該導管の縁の膜厚の３．０倍以上のものであることを特徴とする請求項１〜３のうちいずれか１項記載の内装用壁材。
【考案の詳細な説明】
【技術分野】
【０００１】
本考案は、木製の板素材の表面に塗膜を備えた内装用壁材に関する。
【背景技術】
【０００２】
従来、意匠性を向上させることを目的とした各種の内装用壁材が提案されている（例えば特許文献１〜３等参照）。
【０００３】
特許文献１に記載された壁材は、板素材の表面に紫外線硬化型透明性塗料を塗布し、紫外線を照射して加熱変形可能な透明性塗膜層を形成し、次いで該透明性塗膜層の表面を熱圧エンボスして、基材表面に凹凸模様を形成するとともに透明性塗膜層を該凹凸模様に沿って加熱変形させたものである。特許文献１記載の壁材では、シャープなエンボス感を有する凹凸模様によって意匠性を向上させようとするものである。
【０００４】
また、特許文献２に記載された壁材は、年輪が現われた断面を表面に有する材木片に樹脂含浸を施したものを基板上に固定したものである。この特許文献２記載の壁材では、珪化木の風合いを持たせ、年輪模様の風合いを十分に活かした壁材を提供しようとするものである。
【０００５】
特許文献３に記載された壁材は、表面に不規則な形状の多数の凹部と凹部残余の平坦模様面とを有する板素材と、板素材の平坦模様面と凹部の内面とに、異なる色の着色塗膜を備えることで、装飾性を向上させるようにしたものである。
【先行技術文献】
【特許文献】
【０００６】
【特許文献１】特開２００９−１３７０２８号公報
【特許文献２】特開２００４−１７４９８６号公報
【特許文献３】特開２００６−１１８２４８号公報
【考案の概要】
【考案が解決しようとする課題】
【０００７】
しかしながら、特許文献１〜３に記載された壁材では、形状や年輪模様の風合い、或いは形状と異なる色との組合せにより意匠性の向上を図る構成であり、表面の深みや光沢といった点が考慮されておらず、これらによる意匠性の向上が望まれている。
【０００８】
本考案は前記事情に鑑み、深みのある輝きを備えた内装用壁材を提供することを目的とする。
【課題を解決するための手段】
【０００９】
前記目的を解決する本考案の内装用壁材は、木製の板素材の表面に塗膜を備えた内装用壁材であって、
前記板素材は、表面に複数の凹部が形成されたものであり、
前記塗膜は、漆を塗装した漆塗膜であることを特徴とする。
【００１０】
ここで、前記漆は、透漆であってもよいし、黒漆であってもよい。また、透漆に顔料や染料を加えた色漆であってもよく、テレピン油、樟脳油、ガソリン、灯油等の溶剤、砥の粉、小麦粉、卵白、米糊、貝粉、金属粉（金、銀、プラチナ等）等の添加剤、ウレタン系の硬化剤等を混合した漆であってもよい。
【００１１】
また、前記板素材の樹種は限定されるものではなく、例えば、スギ、ヒノキ、カラマツ、アカマツ、サワラ或いはヒバであってもよいし、ホワイトアッシュ、タモ、ナラ、クリ、ケヤキ等の環孔材であってもよい。さらに、前記板素材は、一体のものであってもよいし、基材に対して高さの異なる複数の木片を固定することで前記複数の凹部を形成するものであってもよい。
【００１２】
またさらに、漆の塗装方法も特に限定されるものではなく、公知の漆塗りの方法を採用することができ、刷毛塗りやスプレーガンを用いた吹付漆塗りであってもよい。
【００１３】
本考案の内装用壁材によれば、前記複数の凹部が形成された前記板素材の表面の形状と、該板素材の表面に備えられた前記漆塗膜とが相まって、深みのある輝きを表現することができる。特に、前記板素材の表面に前記複数の凹部が形成されているため、該凹部の底や縁、或いは該板素材の表面に平面部を有する場合には該平面部等によって、前記漆塗膜の膜厚が多様になり、表面の深みや色の濃淡等のコントラストをも表現することが可能になる。
【００１４】
また、本考案の内装用壁材において、前記漆塗膜は、顔料を含有せず、染料を含有したものであってもよい。
【００１５】
こうすることで、着色を施しつつ、前記板素材の木目を透過させた深みのある仕上げとすることができる。
【００１６】
さらに、本考案の内装用壁材において、前記凹部は、深さが０．３ｍｍ〜３．０ｍｍのものであり、
前記漆塗膜は、前記凹部の底の膜厚が、該凹部の縁の膜厚の１．５倍以上５．０倍以下のものである態様とすることが好ましい。
【００１７】
ここで、前記凹部の底とは、該凹部において最も深さが深い箇所をいう。また、前記複数の凹部は、深さが同じであってもよいし、深さが異なってもいてもよく、少なくとも一部の該凹部が、深さが０．３ｍｍ〜３．０ｍｍのものであればよい。さらに、前記複数の凹部のうちの少なくとも一部において、該凹部の底における前記漆塗膜の膜厚が、該凹部の縁における該漆塗膜の膜厚の１．５倍以上５．０倍以下のものであればよい。またさらに、前記凹部は、縁が曲線によって形成されたものであってもよいし、縁の角部をＲ形状としてもよい。
【００１８】
この態様を採用すれば、前記漆塗膜における膜厚の違いによる、深みや色の濃淡のコントラストを際立たせることが可能となる。
【００１９】
またさらに、本考案の内装用壁材において、前記板素材は、ホワイトアッシュ、タモ、ナラ、クリ、ケヤキのうちのいずれかからなり、
前記漆塗膜は、前記板素材の導管内にも形成され、該導管の底の膜厚が、該導管の縁の膜厚の３．０倍以上のものである態様も好ましい態様の一つである。
【００２０】
すなわち、前記板素材は、導管の径の大きい環孔材からなるものであり、前記導管の底とは、該導管において最も深さが深い箇所をいう。
【００２１】
また、前記導管のうちの少なくとも一部において、該導管の底における前記漆塗膜の膜厚が、該導管の縁における該漆塗膜の膜厚の３．０倍以上のものであればよい。
【００２２】
この態様を採用すれば、導管の底と縁とにおける前記漆塗膜の膜厚の違いによっても、深みや色の濃淡のコントラストを加えることが可能となる。
【考案の効果】
【００２３】
本考案の内装用壁材によれば、深みのある輝きを備えた内装用壁材を提供することができる。
【図面の簡単な説明】
【００２４】
【図１】本考案の第１の内装用壁材を示す平面図である。
【図２】図１のＡ−Ａ線端面図である。
【図３】本考案の第２の内装用壁材を示す平面図である。
【図４】図３のＢ−Ｂ線端面図である。
【図５】本考案の第３の内装用壁材における、図２及び図４と同様の端面図である。
【図６】（ａ）は、本考案の第４の内装用壁材における、図１及び図３に示す平面の拡大図と同様の拡大図であり、（ｂ）は、（ａ）のＣ−Ｃ線部分端面図である。
【考案を実施するための形態】
【００２５】
以下、図面を参照して本考案の実施の形態を説明する。
【００２６】
図１は、本考案の第１の内装用壁材１１を示す平面図であり、図２は、図１のＡ−Ａ線端面図である。なお、図１では、一点鎖線の円で囲んだ部分を拡大して示しており、図２では、一点鎖線の楕円で囲んだ部分を拡大して示している。
【００２７】
図１及び図２に示すように、内装用壁材１１は、表面（図１では紙面手前側の面であり、図２では上側の面）に複数の凹部２１が形成された、板厚が１０ｍｍ程度の木製の板素材２と、板素材２の表面に形成された漆塗膜３とを備えたものである。板素材２の表面の凹部２１は、スプーンカットとも呼ばれるスプーンですくい取ったような形状の「いしがき」といわれるなぐり加工によって形成したものであり、図１において一点鎖線で囲んで拡大して示すように、板素材２の表面の一部には、平面部２２も残されている。複数の凹部２１それぞれの深さＤは異なり、０．５ｍｍ〜２．７ｍｍ程度に設定されている。ここでいう凹部２１の深さＤとは、図２における一点鎖線の楕円で囲んで拡大して示すように、凹部２１の縁２１ａから底２１ｂまでの鉛直方向の距離をいい、底２１ｂとは、凹部２１において最も深さが深い箇所をいう。なお、図２において一点鎖線の楕円で囲んだ部分の凹部２１の深さは約２．７ｍｍである。
【００２８】
板素材２は特に限定されるものではなく、例えば、スギ、ヒノキ、カラマツ、アカマツ、サワラ或いはヒバ等を用いることができる。また、漆塗膜３の塗装方法は特に限定されるものではなく、公知の漆塗りの方法を採用することができるが、本実施形態では、スプレーガンを用いた吹付漆塗りを用いている。
【００２９】
漆塗りの技法も特に限定されるものではない。例えば、不透明な黒漆塗りや朱漆塗りの技法を用いてもよいし、透き漆を塗って木目を美しく見せる木地呂塗りの技法を用いてもよい。また、曙塗り、朱塗りの面を研いで黒い部分を見せる根来塗り、溜漆という拭き漆を塗る溜塗り、白檀塗り等の技法も採用することができる。さらに、板素材２には、ヒノキやヒバ、サワラ等の白っぽい針葉樹を使い、板素材２に膠液を塗った後、くろめ漆を塗り込み、最後に透明度の高い透き漆で仕上げる春慶塗りの技法も用いることができる。
【００３０】
本実施形態では、中塗り研ぎの後、黒色の漆を上塗りする黒漆塗りの技法を用いている。これにより、複数の凹部２１が形成された板素材２の表面の形状と、板素材２の表面に備えられた漆塗膜３が相まって、深みのある輝きを表現することができる。また、図２に拡大して示すように、本実施形態においては、凹部２１の底２１ｂにおける漆塗膜３の膜厚Ｔ１が、凹部２１の縁２１ａにおける漆塗膜３の膜厚Ｔ２の２倍程度に形成されている。具体的には、凹部２１の底２１ｂにおける漆塗膜３の膜厚Ｔ１は１２０μｍ程度であり、凹部２１の縁２１ａにおける漆塗膜３の膜厚Ｔ２は、５０μｍ〜６０μｍ程度である。なお、図２では、漆塗膜３の膜厚を明確にするため、実際よりも漆塗膜３の膜厚を厚く示している。本実施形態によれば、凹部２１の底２１ｂにおける漆塗膜３の膜厚Ｔ１と、凹部２１の縁２１ａにおける漆塗膜３の膜厚Ｔ２との違いによる、深み等のコントラストをも表現することが可能となる。
【００３１】
次に、図１及び図２に示す第１の内装用壁材１１の他の実施形態について説明する。以下に説明する他の実施形態においては、図１及び図２に示す第１実施形態との相違点を中心に説明し、図１及び図２に示す第１実施形態における構成要素の名称と同じ名称の構成要素には、これまで用いた符号を付して説明し、重複する説明は省略することがある。
【００３２】
図３は、本考案の第２の内装用壁材１２を示す平面図であり、図４は、図３のＢ−Ｂ線端面図である。なお、図３では、一点鎖線の円で囲んだ部分を拡大して示しており、図４では、一点鎖線の楕円で囲んだ部分を拡大して示している。
【００３３】
本実施形態では、板素材２に、「こもん」といわれるなぐり加工によって複数の凹部２１が形成されている。複数の凹部２１の深さＤは、１ｍｍ程度に設定されている。これにより、複数の凹部２１が形成された板素材２の表面の形状と、板素材２の表面に備えられた漆塗膜３が相まって、深みのある輝きを表現することができる。また、図４に示すように、本実施形態においては、凹部２１の底２１ｂにおける漆塗膜３の膜厚Ｔ１が、凹部２１の縁２１ａにおける漆塗膜３の膜厚Ｔ２の２〜４倍程度に形成されている。これにより、漆塗膜３の膜厚の違いによる、深み等のコントラストをも表現することが可能となる。
【００３４】
さらに、本実施形態では、透き中塗漆を塗った後に、赤、藍、青、緑等の染料を含有した透き漆を塗って仕上げる技法を採用している。これらの透き漆には、顔料は含有されていない。特に、本実施形態によれば、木目が透けて見え、奥深い印象を付与することもできる。
【００３５】
図５は、本考案の第３の内装用壁材１３における、図２及び図４と同様の端面図である。なお、図５では、一点鎖線の楕円で囲んだ部分を拡大して示している。
【００３６】
本実施形態では、板素材２に、亀の甲羅に似た形状の「きっこう」といわれるなぐり加工が施されて複数の凹部２１が形成されている。
【００３７】
複数の凹部２１の深さＤは、１．３ｍｍ〜２．０ｍｍ程度に設定されている。これにより、複数の凹部２１が形成された板素材２の表面の形状と、板素材２の表面に備えられた漆塗膜３が相まって、深みのある輝きを表現することができる。また、図５に一点鎖線の楕円で囲んで拡大して示すように、本実施形態においては、凹部２１の底２１ｂにおける漆塗膜３の膜厚Ｔ１が、凹部２１の縁２１ａにおける漆塗膜３の膜厚Ｔ２の２〜４倍程度に形成されている。これにより、漆塗膜３の膜厚の違いによる、深み等のコントラストをも表現することが可能となる。
【００３８】
図６（ａ）は、本考案の第４の内装用壁材１４における、図１及び図３に示す平面の拡大図と同様の拡大図であり、図６（ｂ）は、同図（ａ）のＣ−Ｃ線部分端面図である。
【００３９】
本実施形態では、図１及び図２に示す第１の内装用壁材１１と同様に、「いしがき」といわれるなぐり加工によって、板素材２の表面に複数の凹部２１が形成されている。また、本実施形態では、図３及び図４に示す第２の内装用壁材１２と同様に、透き中塗漆を塗った後に、赤、藍、青、緑等の染料を含有した透き漆を塗って仕上げる技法を採用している。これらの透き漆には、顔料は含有されていない。
【００４０】
さらに、本実施形態の板素材２には、導管の径の大きい環孔材である、ホワイトアッシュ、タモ、ナラ、クリ、ケヤキのうちのいずれかを採用し、図６（ａ）に示すように、表面に導管２３を際立たせる態様としている。
【００４１】
図６（ｂ）では導管２３を概念的に示しているが、導管２３内にも漆塗膜３が形成され、導管２３の底２３ｂの漆塗膜３の膜厚Ｔ３が厚くなり、導管２３の縁２３ａの漆塗膜３の膜厚は僅かになっている。すなわち、導管２３の底２３ｂにおける漆塗膜３の膜厚Ｔ３は、導管２３の縁２３ａにおける漆塗膜３の膜厚の３．０倍以上のものである。なお、上限としては、１００倍以下程度が好ましい。
【００４２】
本実施形態によれば、第１〜第３の内装用板材と同様に、凹部２１の底２１ｂと縁２１ａにおける漆塗膜３の膜厚の違いによる、深み等のコントラストをも表現することが可能となるのに加え、導管２３の底２３ｂと縁２３ａにおける漆塗膜３の膜厚の違いによる、深み等のコントラストをも追加することが可能となる。特に、板素材２として白っぽいホワイトアッシュ等を用い、赤、藍、青、緑等の染料を含有した透き漆を塗って仕上げれば、導管２３の縁２３ａの色が明確に視認され、導管２３をより際立たせることができる。
【００４３】
以上説明した内装用板材１１〜１４によれば、深みのある輝きを備えた内装用壁材を提供することができる。
【００４４】
本考案は前述した実施形態に限られることなく実用新案登録請求の範囲に記載した範囲で種々の変更を行うことができる。例えば、凹部２１の縁を曲線によって形成したり、角部をＲ形状としたりしてもよい。こうすることで、凹部２１の底２１ｂにおける漆塗膜３の膜厚Ｔ１を確保しやすくすることができる。また、凹部２１の加工方法も限定されるものではなく、他の種類のなぐり加工等によって凹部２１を形成してもよい。
【００４５】
なお、以上説明した各実施形態の記載それぞれにのみ含まれている構成要件であっても、その構成要件を、他の実施形態に適用してもよい。
【符号の説明】
【００４６】
１１，１２，１３，１４  内装用板材
２  板素材
２１  凹部
２１ａ  （凹部の）縁
２１ｂ  （凹部の）底
２２  平面部
２３  導管
２３ｂ  （導管の）縁
２３ａ  （導管の）底
３  漆塗膜
Ｄ  （凹部の）深さ
Ｔ１  （凹部の底の）膜厚
Ｔ２  （凹部の縁の）膜厚
Ｔ３  （導管の底の）膜厚
【図１】
0003224888.tif 000003
【図２】
0003224888.tif 000004
【図３】
0003224888.tif 000005
【図４】
0003224888.tif 000006
【図５】
0003224888.tif 000007
【図６】
0003224888.tif 000008